(57)【要約】【課題】  遊技機に液晶表示パネルを用いた場合においても、液晶表示パネルを透過する光源からの光を有効に活用でき、リールが十分明るく視認できる液晶表示装置を得るものである。【解決手段】  液晶表示パネル３は、バックライトからの光に対して特定の偏光成分のみを透過させる機能を有する偏光板４ａ，４ｂを有し、液晶表示パネル３と面状導光板１との間に、偏光板４ｂの光透過軸方向とほぼ等しい偏光軸を持つ光は透過し、光透過軸方向以外の方向に偏光軸を持つ光は反射する偏光反射シート５ａを有する。【選択図】  図１
2005208372.tif 000002
【特許請求の範囲】
【請求項１】
導光板と、前記導光板の少なくとも一辺に配置した第１の光源とを有するバックライトと、
前記バックライトの表側に配置され、前記バックライトからの光の透過率を制御する液晶表示パネルとを備える液晶表示装置であって、
前記液晶表示パネルは前記バックライトからの光に対して特定の偏光成分のみを透過させる機能を有する偏光板を有し、
前記液晶表示パネルと前記導光板との間に、前記偏光板の光透過軸方向とほぼ等しい偏光軸を持つ光は透過し、光透過軸方向以外の方向に偏光軸を持つ光は反射する偏光反射部を有することを特徴とする液晶表示装置。
【請求項２】
前記偏光反射部は、前記液晶パネルと前記導光板との間隙に挿入した偏光反射シートであることを特徴とする請求項１記載の液晶表示装置。
【請求項３】
前記偏光反射部は、前記液晶パネルに貼り付けられている偏光反射層であることを特徴とする請求項１記載の液晶表示装置。
【請求項４】
導光板と、前記導光板の少なくとも一辺に配置した第１の光源とを有するバックライトと、
前記バックライトの表側に配置され、前記バックライトからの光の透過率を制御する液晶表示パネルとを備える液晶表示装置であって、
前記液晶表示パネルは、前記バックライトからの光に対して特定の偏光成分のみを透過させる機能を有する偏光板を有し、
前記導光板の裏側に、前記偏光板の光透過軸方向とほぼ等しい偏光軸を持つ光は透過し、光透過軸方向以外の方向に偏光軸を持つ光は反射する偏光反射部を有することを特徴とする液晶表示装置。
【請求項５】
前記液晶表示装置は前記バックライトの裏面側から保持するリアフレームを有し、前記偏光反射部は前記リアフレームの貫通穴を覆うように配置されていることを特徴とする請求項４記載の液晶表示装置。
【請求項６】
バックライトと、前記バックライトの表側に配置され前記バックライトからの光の透過率を制御する液晶表示パネルと、前記バックライトの裏面側に配置され前記液晶表示パネルにより表示が制御される表示対象物とを備える遊技機であって、
前記液晶表示パネルは、前記バックライトからの光に対して特定の偏光成分のみを透過させる機能を有する偏光板を有し、
前記液晶表示パネルと前記表示対象物との間に、前記偏光板の光透過軸方向とほぼ等しい偏光軸を持つ光は透過し、光透過軸方向以外の方向に偏光軸を持つ光は反射する偏光反射部を有することを特徴とする遊技機。
【発明の詳細な説明】
【技術分野】
【０００１】
この発明は、液晶表示装置およびこれを用いた遊技機に関する。さらに詳しくは、透過型の液晶表示パネルに照明光を供給するバックライトを用いるパチンコ機やスロットマシンなどの遊技機に関する。
【背景技術】
【０００２】
近年、液晶表示装置（Ｌｉｑｕｉｄ  Ｃｒｙｓｔａｌ  Ｄｉｓｐｌａｙ：ＬＣＤ）は、その軽量性、薄型性などの利点により、各種用途に広く使用されている。
液晶表示パネルは、配線および電極が形成されたガラス基板と、対向基板が並行に配置され、両基板間に液晶が挟持されている。この液晶表示パネルの両面側には偏光板がそれぞれ貼り付けられている。液晶表示パネルの表示領域は、多数の画素から構成され、この各画素に表示画像応じた信号が印加され、画像が表示される。この表示画像は液晶パネルの背面に設置されたバックライトにより光が照射され、表示画像が観察者に視認される。
【０００３】
このように、液晶表示装置は、画素ごとに光の透過率を制御する液晶表示パネルとバックライトにより構成される、いわゆる受光型の表示装置であり、この特性を利用した種々の用途に使用されている。
例えば、回転リール、液晶パネルおよびバックライトユニットからなり、バックライトユニットには、回転リールを視認するための表示窓が設けられているスロットマシンがある（例えば、特許文献１参照）。
【０００４】
しかしながら、同構成要素は、スロットマシン内に組み込まれるために、回転リール照射用の他のランプや他の多数の部品も必要であり、遊技機の内部構成が複雑になるという問題があった。また、回転リールへの照明が不十分であるという問題があった。
そこで、液晶表示パネルを照射するバックライトの構造によって、背面に設置されたリールを効果的に照射する手法が開示されている（例えば、特許文献２、特許文献３参照）。
【０００５】
【特許文献１】特開平７−１２４２９０号公報（第３頁、第１図）
【特許文献２】特開２０００−１１７２５号公報（第３−５頁、第７図）
【特許文献３】特開２０００−２２２９２２号公報（第３−５頁、第８図）
【発明の開示】
【発明が解決しようとする課題】
【０００６】
従来の液晶表示パネルでは、表示領域内に多数の画素とそれに対応した多数の配線および電極が形成されていると共に、両面には偏光板が貼り付けられている。このため液晶表示パネルの光の透過率は、表示領域の大きさおよび表示画像の解像度にも依存するが、一般的に約３〜８％程度と非常に低い。このため、リールが十分明るく視認できないという問題があった。
【０００７】
この発明は、上述のような課題を解決するためになされたもので、第１の目的は、遊技機に液晶表示パネルを用いた場合においても、液晶表示パネルを透過する光源からの光を有効に活用できる液晶表示装置を得るものである。
また、第２の目的は、該液晶表示装置を用いすぐれた表示特性を得ることができる遊技機を得るものである。
【課題を解決するための手段】
【０００８】
この発明に係る液晶表示装置においては、導光板と、導光板の少なくとも一辺に配置した第１の光源とを有するバックライトと、バックライトの表側に配置され、バックライトからの光の透過率を制御する液晶表示パネルとを備えるものであって、液晶表示パネルは、バックライトからの光に対して特定の偏光成分のみを透過させる機能を有する偏光板を有し、液晶表示パネルと導光板との間に、偏光板の光透過軸方向とほぼ等しい偏光軸を持つ光は透過し、光透過軸方向以外の方向に偏光軸を持つ光は反射する偏光反射部を有するものである。
【発明の効果】
【０００９】
この発明は、液晶表示装置が、液晶表示パネルと導光板との間に、偏光板の光透過軸方向とほぼ等しい偏光軸を持つ光は透過し、光透過軸方向以外の方向に偏光軸を持つ光は反射する偏光反射部を有することにより、液晶表示パネルの偏光板に到達する光をロスなく偏光板で透過することができ、光の利用効率を高くすることが可能となる。
【発明を実施するための最良の形態】
【００１０】
実施の形態１．
図１はこの発明を実施するための実施の形態１における液晶表示装置の概略構成を示す分解斜視図、図２は図１に示す液晶表示装置に第２の光源およびリールを配置した場合のII−II線の部分断面図である。図１および図２において、この液晶表示装置は、面状導光板１と面状導光板１の少なくとも一辺に配置した第１の光源２である線状光源とを有するバックライトと、バックライトの表側に配置されバックライトからの光の透過率を制御する液晶表示パネル３とからなる。
【００１１】
液晶表示パネル３は、上側基板３ａまたは下側基板３ｂ上に着色層、遮光層、スイッチング素子となる薄膜トランジスタ（以下、ＴＦＴと称す）、画素電極等の電極および配線が形成されたＴＦＴアレイ基板および対向基板、二枚の基板を等間隔に保持するスペーサ、二枚の基板を貼り合わせるシール材、二枚の基板とのあいだに液晶を注入した後に封止する封止材、液晶に初期配向をもたせる配向膜およびバックライトからの光に対して特定の偏光成分のみを透過させる機能を有する偏光板４ａ，４ｂなどにより構成されるが、この発明においては、既存の液晶表示パネルを用いるのでここでの説明は省略する。
【００１２】
また、液晶表示装置は、液晶表示パネル３と面状導光板１との間に、偏光板４ｂの光透過軸方向とほぼ等しい偏光軸を持つ光は透過し、光透過軸方向以外の方向に偏光軸を持つ光は反射する偏光反射部５を有する。この実施の形態１では偏光反射部５として、液晶パネル３と面状導光板１との間隙に挿入した偏光反射シート５ａを用いる。
さらに、光学シート６および反射板７を備えたバックライトの上に液晶表示パネル３を支持する中間フレーム８、貫通穴９ａを有するリアフレーム９とフロントフレーム１０とで液晶表示パネル３とバックライトを保持し、液晶表示装置を構成する。
１１はバックライトの裏面側に配置され液晶表示パネル３により表示が制御される表示対象物である。この実施の形態では表示対象物としてパチンコ機やスロットマシンなどのリール１１を用いて説明する。１２はリール１１を照明するための第２の光源であるが、表示対象物が自発光または表示対象物内部に備えた光源からの光を透過するのであれば、第２の光源１２はなくてもよい。
【００１３】
偏光反射シート５ａは液晶表示パネル３と面状導光板１の間に配置されている。その偏光反射シート５ａの光透過軸は液晶表示パネル３の面状導光板１側の偏光板４ｂの光透過軸と概一致させている。
【００１４】
面状導光板１は入射面１ａが第１の光源２と向き合うように配置されている。また、入射面１ａと略直交するように出射面１ｂが設けられ、出射面１ｂと対向する反出射面１ｃには光の伝搬方向を乱すための印刷ドットパターン１ｄが形成されており、透光領域１００は印刷ドットパターン１ｄを形成しないクリア面としている。なお、面状導光板１はアクリルやポリカーボネイトやガラスなどの透明体で構成されている。また、反出射面１ｃに設けた印刷ドットパターン１ｄの代わりに、出射面１ｂまたは反出射面１ｃを粗面としても良いし、微小な球面やプリズムなど光の伝搬方向を変化させる凹凸で構成しても良い。
【００１５】
光学シート６は面状導光板１の出射面１ｂに近接して設けられた拡散シートであり、透光領域１００には貫通穴６ａが設けられている。なお、光学シート６にはプリズムシートを用いても良く、また、複数枚のシートで構成されていても良いし、何も用いなくても良い。
反射板７は面状導光板１の入射面１ａおよび出射面１ｂを除く面に近接して設けられ、反射率９０％以上の拡散反射材を用いており、透光領域１００には貫通穴７ａが設けられている。  
なお、反射板７は銀蒸着シートなど正反射させるものでも良い。
第２の光源１２はバックライトの背面の各リール１１を照明出来る位置に配置されている。
【００１６】
次に、第１の光源２および第２の光源１２からの光が液晶表示パネル３に入射するまでの光路について説明する。
第１の光源２より出射した光は向かい合う面状導光板１の入射面１ａより面状導光板１に入射する。面状導光板１に入射した光は面状導光板１内部を全反射しながら伝搬する。この伝搬過程において、反出射面１ｃに形成された印刷ドットパターン１ｄにより、散乱された光は出射面１ｂより出射する。出射面１ｂを出射した光は、光学シート６にて配光分布を整えられて出射する。なお、この時、透光窓９ａに対応する面状導光板１の位置には光の伝搬を乱す印刷ドットパターン１ｄが無いため、第１の光源２の光は透光領域１００からは出射しない。
【００１７】
第２の光源１２から出射した光は直接またはバックライトの裏面であるリアフレーム９を介して各リール１１を照射する。照射された光はリール１１表面で反射し面状導光板１の反出射面１ｃに入射する。面状導光板１に入射した光は伝搬を乱されることなく出射面１ｂから出射し、リール１１上のシンボルを透光領域１００を介して外部から視認出来るようにする。
【００１８】
ここで本実施の形態１においては、第１の光源２から面状導光板１を伝搬し出射した光のうち、偏光反射シート５ａの光透過軸方向に偏光軸を持つ光は、偏光反射シート５ａを透過し、同偏光軸方向に設置された偏光板４ｂを透過し液晶表示パネル３に入射する。一方、偏光反射シート５ａの光透過軸方向以外の方向に偏光軸を持つ光は、偏光反射シート５ａで反射され、面状導光板１を通り、背面の印刷ドットパターン１ｄや反射板７に入射され、その偏光軸が変換され反射される。この光は再び偏光反射シート５ａに入射されるが、このとき偏光軸が変換されているため多くの光が偏光反射シート５ａおよび偏光板４ｂを透過できる。
【００１９】
このように、従来であれば液晶表示パネル３の偏光板４ｂに吸収される軸方向の光を再びバックライト側に反射し、再生することにより、透光領域１００以外の領域の輝度上昇が図れる。
【００２０】
一方、第２の光源１２から出射した光は、リール１１に照射、反射された後、面状導光板１の透光領域１００を透過し偏光反射シート５ａに入射し、偏光反射シート５ａの光透過軸方向に偏光軸を持つ光は、偏光反射シート５ａを透過し、同偏光軸方向に設置された偏光板４ｂを透過し液晶表示パネル３に入射する。一方、偏光反射シート５ａの光透過軸方向以外の方向に偏光軸を持つ光は、偏光反射シート５ａで反射され、透光領域１００を透過し、再びリール１１表面に入射され、その偏光軸が変換され反射される。この光は再び偏光反射シート５ａに入射されるが、このとき偏光軸が変換されているため多くの光が偏光反射シート５ａおよび偏光板４ｂを透過できる。
【００２１】
以上のように、第２の光源１２から出射した光についても、偏光反射シート５ａとリール１１によって、光の反射、再生が行われ、各リール１１は偏光反射シート５ａから反射した光により、照明光が増加し、リール１１をより高輝度に視認させることが出来、表示品位の高い液晶表示装置を得ることが出来る。
【００２２】
実施の形態２．
図３はこの発明を実施するための実施の形態２における液晶表示装置の概略構成を示す分解斜視図、図４は図３に示す液晶表示装置に第２の光源およびリールを配置した場合のIV−IV線の部分断面図である。図３および図４において、図１、２と同じ符号は、同一または相当部分を示し、その説明を省略する。
偏光反射層５ｂは、液晶表示パネル３の面状導光板１側に貼り付けられている。その偏光反射層５ｂの光透過軸は液晶表示パネル３の面状導光板１側の偏光板４ｂの光透過軸と概一致させている。
【００２３】
本実施の形態２においては、光学シート６の上面に配置された偏光反射層５ｂにより、第１の光源２から面状導光板１を伝搬し出射した光は、前記実施の形態１と同様の作用により、従来であれば液晶表示パネル３の偏光板４ｂに吸収される軸方向の光を再びバックライト側に反射し、再生することにより透光領域１００以外の領域の輝度上昇を図っている。一方、第２の光源１２からの光についても面状導光板１の透光領域１００を透過し偏光反射層５ｂに入射し、同様に光の反射、再生が行われる。各リール１１は偏光反射層５ｂから反射した光により、照明光が増加し、リール１１のシンボルをより高輝度に視認させることが出来、表示品位の高い液晶表示装置を得ることが出来る。
また、本実施の形態２では偏光反射層５ｂを液晶表示パネル３の裏面に貼り付けているため、偏光反射層５ｂを透過した光が液晶表示パネル３の表面で反射されることなく、液晶表示パネル３に入射されるので、透光領域１００以外の領域及び、透光領域１００をより高輝度に視認させることができる。さらに、偏光反射シート５ａをバックライトに組み付ける必要が無く、生産性向上を図れる。
【００２４】
実施の形態３．
図５はこの発明を実施するための実施の形態３における液晶表示装置の概略構成を示す分解斜視図、図６は図５に示す液晶表示装置に第２の光源およびリールを配置した場合のVI−VI線の部分断面図である。図５および図６において、図１、２と同じ符号は、同一または相当部分を示し、その説明を省略する。
偏光反射シート５ｃは面状導光板１裏側の反出射面１ｃの透光領域１００を覆うように配置されている。なお、偏光反射シート５ｃは面状導光板１の出射面１ｂ側に配置しても良い。
【００２５】
本実施の形態３においては、面状導光板１に配置された偏光反射シート５ｃにより、第２の光源１２から面状導光板１に入射した光の反射、再生が行われる。各リール１１は偏光反射シート５ｃから反射した光により、照明光が増加し、リール１１のシンボルをより高輝度に視認させることが出来、表示品位の高い液晶表示装置を得ることが出来る。
また本実施の形態３では前記の実施の形態１よりも偏光反射シート５ｃを小面積にすることが出来、より安価な液晶表示装置を得ることが出来る。
【００２６】
実施の形態４．
図７はこの発明を実施するための実施の形態４における液晶表示装置の概略構成を示す分解斜視図、図８は図７に示す液晶表示装置に第２の光源およびリールを配置した場合のVIII−VIII線の部分断面図である。図７および図８において、図１、２と同じ符号は、同一または相当部分を示し、その説明を省略する。  
偏光反射シート５ｄはリアフレーム９の透光窓９ａを覆うように配置されており、粘着材料によりリアフレーム９に貼り付けられている。
【００２７】
本実施の形態４においては、リアフレーム９に貼り付けられた偏光反射シート５ｄにより、第２の光源１２から面状導光板１に入射した光の反射、再生が行われる。各リール１１は偏光反射シート５ｄから反射した光により、照明光が増加し、リール１１のシンボルをより高輝度に視認させることが出来る、このとき、偏光反射シート５ｄとリール１１の間に他の部材を介さないため、効率よく光の反射、再生を行うことが出来、前記の実施の形態１よりさらに高輝度にリール１１のシンボルを視認させることが出来る。
【００２８】
実施の形態５．
図９はこの発明を実施するための実施の形態５における液晶表示装置の概略構成を示す分解斜視図、図１０は図９に示す液晶表示装置に第２の光源およびリールを配置した場合のX−X線の部分断面図である。図９および図１０において、図１、２と同じ符号は、同一または相当部分を示し、その説明を省略する。  
面状導光板１３は入射面１３ａが第１の光源２と向き合うように配置されている。また、入射面１３ａと略直交するように出射面１３ｂが設けられ、出射面１３ｂと対向する反出射面１３ｃには光の伝搬方向を乱すための印刷ドットパターン１３ｄが形成されており、透光領域１００は貫通穴１３ｅとしている。なお、面状導光板１３はアクリルやポリカーボネイトやガラスなどの透明体で構成されている。また、反出射面１３ｃに設けた印刷ドットパターン１３ｄの代わりに、出射面１３ｂまたは反出射面１３ｃを粗面としても良いし、微小な球面やプリズムなど光の伝搬方向を変化させる凹凸で構成しても良い。
【００２９】
次に、第１の光源２および第２の光源１２からの光が液晶表示パネルに入射するまでの光路について説明する。
第１の光源２より出射した光は向かい合う面状導光板１３の入射面１３ａより面状導光板１３に入射する。面状導光板１３に入射した光は面状導光板１３内部を全反射しながら伝搬する。この伝搬過程において、反出射面１３ｃに形成された印刷ドットパターン１３ｄにより、散乱された光は出射面１３ｂより出射する。出射面１３ｂを出射した光は、光学シート６にて配光分布を整えられて出射する。なお、この時、透光領域１００には光を伝搬する導光板１３が無いため、第１の光源２の光の一部は貫通穴１３ｅ断面からの漏れ光としてリール１１に照射される。また、貫通穴１３ｅ断面に反射部材を設け漏れ光を面状導光板１３に返すようにしても良い。
【００３０】
第２の光源１２から出射した光は直接またはバックライトの裏面を介して各リール１１を照射する。照射された光はリール１１の表面で反射し、リール１１上のシンボルを透光領域１００を介して外部から視認出来るようにする。
【００３１】
ここで本実施の形態５においては、液晶表示パネル３と面状導光板１３の間に配置された偏光反射シート５ａにより、第１の光源２から面状導光板１３を伝搬し出射した光は、前記実施の形態１と同様の作用により、従来であれば液晶表示パネル３の偏光板４ｂに吸収される軸方向の光を再びバックライト側に反射し、再生することにより透光領域１００以外の領域の輝度上昇を図っている。一方、第２の光源１２からの光についても透光領域１００の偏光反射シート５ａに入射し、同様に光の反射、再生が行われる。各リール１１は偏光反射シート５ａから反射した光により、照明光が増加し、リール１１のシンボルをより高輝度に視認させることが出来、表示品位の高い液晶表示装置を得ることが出来る。
本実施の形態５では面状導光板１３に貫通穴１３ｅを設けることにより軽量化を図れるとともに、偏光反射シート５ａとリール１１の間、および、偏光反射シート５ａと液晶表示パネル３の間に他の部材を介さないため、効率よく光の反射、再生、透過を行うことが出来、前記の実施の形態４よりさらに高輝度にリール１１のシンボルを視認させることが出来る。
【００３２】
なお、上記実施の形態５では光学シート６上の偏光反射シート５ａと貫通穴１３ｅを設けた面状導光板１３の組合せとしているが、実施の形態２〜４で示した偏光反射層５ｂまたは偏光反射シート５ｃもしくは５ｄの配置と貫通穴１３ｅを設けた面状導光板１３の組合せでも良い。
【００３３】
実施の形態６．
図１１はこの発明を実施するための実施の形態６における液晶表示装置の概略構成を示す分解斜視図、図１２は図１１に示す液晶表示装置に第２の光源およびリールを配置した場合のXII−XII線の部分断面図である。図１１および図１２において、図１および２と同じ符号は、同一または相当部分を示し、その説明を省略する。  
拡散板１４は入射面１４ａが第１の光源２と向き合うように配置されている。また、入射面１４ａと平行に出射面１４ｂが設けられ、透光領域１００は貫通穴１４ｃとしている。なお、拡散板１４はアクリルやポリカーボネイト、シクロオレフィレン系樹脂などで構成されている。
【００３４】
次に、第１の光源２および第２の光源１２からの光が液晶表示パネルに入射するまでの光路について説明する。
第１の光源２より出射した光は直接または反射板７を介して向かい合う拡散板１４の入射面１４ａより拡散板１４に入射する。拡散板１４に入射した光は散乱され、出射面１４ｂより出射する。出射面１４ｂを出射した光は、光学シート６にて配光分布を整えられて出射する。なお、この時、透光領域１００には光を散乱する拡散板１４が無いため、第１の光源２の光の一部は透光領域１００から直接出射する。
【００３５】
第２の光源１２から出射した光は直接またはバックライトの裏面を介して各リール１１を照射する。照射された光はリール１１の表面で反射し、リール１１上のシンボルを透光領域１００を介して外部から視認出来るようにする。
【００３６】
ここで本実施の形態６においては、液晶表示パネル３と拡散板１４の間に配置された偏光反射シート５ａにより、第１の光源２から拡散板１４を介し出射した光は、前記実施の形態１と同様の作用により、従来であれば液晶表示パネル３の偏光板４ｂに吸収される軸方向の光を再びバックライト側に反射し、再生することにより透光領域１００以外の領域の輝度上昇を図っている。一方、第２の光源１２からの光は透光領域１００の偏光反射シート５ａに入射し、同様に光の反射、再生が行われる。各リール１１は偏光反射シート５ａから反射した光により、照明光が増加し、リール１１のシンボルをより高輝度に視認させることが出来、導光板１を使わない軽量なバックライトと組み合わせた表示品位の高い液晶表示装置を得ることが出来る。
【００３７】
なお、上記第６の実施の形態では光学シート６上の偏光反射シート５ａと貫通穴１４ｃを設けた拡散板１４の組合せとしているが、実施の形態２〜４示した偏光反射層５ｂまたは偏光反射シート５ｃもしくは５ｄの配置と貫通穴１４ｃを設けた拡散板１４の組合せでも良い。
【００３８】
実施の形態７．
図１３はこの発明を実施するための実施の形態７における液晶表示装置の部分断面図である。
図１３において、図１、２、７、８と同じ符号は、同一または相当部分を示し、その説明を省略する。  
リアフレーム９に偏光反射シート５ｄを設けており、当液晶液晶表示装置においては、リアフレーム９のリール１１側の表面のうち、透光窓９ａ以外の領域に、銀蒸着フィルムなどを貼付し、鏡面反射領域１５ａとしている。
【００３９】
次に、第２の光源１２からの光が液晶表示パネルに入射するまでの光路について説明する。
リール１１を照射するための第２の光源１２から発せられた光の一部はリール１１を照射、反射され、透光窓９ａに設けられた偏光反射シート５ｄに入射する。一方第２の光源１２から発せられ、前記鏡面反射領域１５ａに照射された光は、その表面で鏡面反射され、多くの光はリール１１に照射、反射された後、透光窓９ａに設けられた偏光反射シート５ｄに入射する。これらの光のうち、偏光反射シート５ｄの光吸収軸方向に偏光軸をもつ光は、偏光反射シート５ｄを透過し、面状導光板１を透過後、同偏光軸方向に設置された偏光板４ｂを透過し、液晶表示パネル３に入射する。一方、偏光反射シート５ｄの光吸収軸方向以外の方向に偏光軸をもつ光は、偏光反射シート５ｄで反射され、その多くは再びリール１１に照射、反射され、このとき、その偏光軸が変換され、再び偏光反射シート５ｄに入射する。以上の光はリール１１を照射した光であるので、透光領域１００を観測した観測者は、偏光反射シート５ｄ及び鏡面反射領域１５ａを設けない場合に観測されるリール１１に比べ非常に明るいリール１１として視認される。
なお、本実施の形態７では、偏光反射シート５ｄをリアフレーム９の透光窓９ａ部分に設けたが、実施の形態１〜６に示す位置においても同様の効果が得られる。
【００４０】
実施の形態８．
図１４はこの発明を実施するための実施の形態８における液晶表示装置の部分断面図である。
図１４において、図１、２、７、８と同じ符号は、同一または相当部分を示し、その説明を省略する。
リアフレーム９に偏光反射シート５ｄを設けている。当液晶液晶表示装置においては、リアフレーム９のリール１１側の表面のうち、透光窓９ａ以外の領域に、拡散反射シートなどを貼付し、拡散反射領域１５ｂとしている。
【００４１】
本実施の形態に示す構成では、前記実施の形態４とほぼ同等の動作が行われるが、第２の光源１２からの光や、リール１１で反射された光は、拡散反射領域１５ｂへ入射、反射される際に、拡散されるので、その反射光がより均一にリール１１に照射される。また、第２の光源１２、リール１１、拡散反射領域１５ｂの各位置関係によるリール１１の照射状態の変化がなくなり、これらの部品の取付け、設計に対する精度が比較的低くできる。
なお、本実施の形態８では、偏光反射シート５ｄをリアフレーム９の透光窓９ａ部分に設けたが、実施の形態１〜６に示す位置においても同様の効果が得られる
【００４２】
実施の形態９．
図１５はこの発明を実施するための実施の形態９における液晶表示装置の部分断面図である。
図１５において、図１、２、５および６と同じ符号は、同一または相当部分を示し、その説明を省略する。
面状導光板１に偏光反射シート５ｃを設けている。当液晶液晶表示装置においては、リアフレーム９を有さず、面状導光板１のリール１１側の透光窓９ａ以外の領域には反射板７のみを設置している。反射板７の両面は共に、光を反射させる構造としており、光を全反射または拡散反射させることができる。
本実施の形態に示す構成では、実施の形態３に示すものと同様の効果が得られるほか、必要な反射板７が1枚だけであると共に、リアフレーム９が不要であるので、低コスト化が図れる。
【００４３】
実施の形態１０．
図１６はこの発明を実施するための実施の形態１０における液晶表示装置の部分断面図、図１７はこの実施の形態１０における第２の光源から発した光の光路を示す説明図である。図１６および図１７において、図１、２、７および８と同じ符号は、同一または相当部分を示し、その説明を省略する。
リアフレーム９に偏光反射シート５ｄを設けている。当液晶表示装置においては、リアフレーム９のリール１１側の表面のうち、透光窓９ａ以外の領域に、微小プリズム状突起１５ｃを有する反射領域を設けている。
【００４４】
図１７において、プリズム状突起１５ｃのリアフレーム９面とのなす角θnは、第２の光源１２から発せられ同プリズム状突起１５ｃ面で反射した光が、リール１１の視認パターン領域１１ａを均一に照射するように形成する。ここで、なす角θnおよび微小プリズムのピッチｒnのnは、プリズム状突起を有する反射領域の微小プリズムの数を示す。微小プリズムのピッチは小さい程好ましいが、加工精度、コストを鑑みて決定する。
本実施の形態に示す構成では、実施の形態７に示すものと同様の効果が得られるが、リール１１を高精度で均一に照射できるため、ムラの少ないリール１１が視認できる。
【００４５】
実施の形態１１．
図１８はこの発明を実施するための実施の形態１１における液晶表示装置の部分断面図、図１９はこの実施の形態１１における第２の光源から発した光の光路を示す説明図である。図１８および図１９において、図１、２、７および８と同じ符号は、同一または相当部分を示し、その説明を省略する。
リアフレーム９に偏光反射シート５ｄを設けている。当液晶表示装置においては、リアフレーム９のリール１１側の表面のうち、透光窓９ａ以外の領域に、凹面鏡部１５ｄである凹面鏡領域を設けている。
【００４６】
図１９において、凹面鏡部１５ｄの曲率は、第２の光源１２から発せられ同凹面鏡部１５ｄで反射した光が、リール１１の視認パターン領域１１ａを均一に照射するように形成する。
本実施の形態に示す構成では、実施の形態１０に示すものと同様の効果が得られるが、リール１１を反射面が連続的であるため、より高精度で均一に照射できるため、よりムラの少ないリールが視認できる。
【図面の簡単な説明】
【００４７】
【図１】この発明を実施するための実施の形態１における液晶表示装置の概略構成を示す分解斜視図である。。
【図２】図１に示す液晶表示装置に第２の光源およびリールを配置した場合のII−II線の部分断面図である。
【図３】この発明を実施するための実施の形態２における液晶表示装置の概略構成を示す分解斜視図である。
【図４】図３に示す液晶表示装置に第２の光源およびリールを配置した場合のIV−IV線の部分断面図である。
【図５】この発明を実施するための実施の形態３における液晶表示装置の概略構成を示す分解斜視図である。
【図６】図５に示す液晶表示装置に第２の光源およびリールを配置した場合のVI−VI線の部分断面図である。
【図７】この発明を実施するための実施の形態４における液晶表示装置の概略構成を示す分解斜視図である。
【図８】図７に示す液晶表示装置に第２の光源およびリールを配置した場合のVIII−VIII線の部分断面図である。
【図９】この発明を実施するための実施の形態５における液晶表示装置の概略構成を示す分解斜視図である。
【図１０】図９に示す液晶表示装置に第２の光源およびリールを配置した場合のX−X線の部分断面図である。
【図１１】この発明を実施するための実施の形態６における液晶表示装置の概略構成を示す分解斜視図である。
【図１２】図１１に示す液晶表示装置に第２の光源およびリールを配置した場合のXII−XII線の部分断面図である。
【図１３】この発明を実施するための実施の形態７における液晶表示装置の部分断面図である。
【図１４】この発明を実施するための実施の形態８における液晶表示装置の部分断面図である。
【図１５】この発明を実施するための実施の形態９における液晶表示装置の部分断面図である。
【図１６】この発明を実施するための実施の形態１０における液晶表示装置の部分断面図である。
【図１７】この実施の形態１０における第２の光源から発した光の光路を示す説明図である。
【図１８】この発明を実施するための実施の形態１１における液晶表示装置の部分断面図である。
【図１９】この実施の形態１１における第２の光源から発した光の光路を示す説明図である。
【符号の説明】
【００４８】
１，１３  導光板、２  第１の光源、３  液晶表示パネル、４ａ，４ｂ  偏光板、５ａ，５ｃ，５ｄ  偏光反射シート、５ｄ  偏光反射層、９  リアフレーム、９ａ  貫通穴、１１  リール
【図１】
2005208372.tif 000003
【図２】
2005208372.tif 000004
【図３】
2005208372.tif 000005
【図４】
2005208372.tif 000006
【図５】
2005208372.tif 000007
【図６】
2005208372.tif 000008
【図７】
2005208372.tif 000009
【図８】
2005208372.tif 000010
【図９】
2005208372.tif 000011
【図１０】
2005208372.tif 000012
【図１１】
2005208372.tif 000013
【図１２】
2005208372.tif 000014
【図１３】
2005208372.tif 000015
【図１４】
2005208372.tif 000016
【図１５】
2005208372.tif 000017
【図１６】
2005208372.tif 000018
【図１７】
2005208372.tif 000019
【図１８】
2005208372.tif 000020
【図１９】
2005208372.tif 000021